(57)【要約】  時分割複信によって通信する第１の通信システムの通信回線と、第２の通信システムの通信回線とを収容する伝送システムは、第１及び第２の通信システムにおける上りリンクの信号と下りリンクの信号とを中継する中継部と、第１の通信システムの上りリンクの信号が送信されない送信停止期間を推定する時分割複信情報推定部と、送信停止期間の推定が誤っていることを第１の通信システムの上りリンクの信号又は下りリンクの信号に基づいて検出する推定誤り検出部と、送信停止期間の推定が誤っている場合、第１の通信システムの上りリンクの信号に対する中継部における帯域の割り当てを、第２の通信システムの上りリンクの信号に対する中継部における帯域の割り当てより優先する帯域割当て部と、を備える。
2017061407.tif 000002
【特許請求の範囲】
【請求項１】
時分割複信によって通信する第１の通信システムの通信回線と、第２の通信システムの通信回線とを収容する伝送システムであって、
前記第１及び第２の通信システムにおける上りリンクの信号と下りリンクの信号とを中継する中継部と、
前記第１の通信システムの上りリンクの信号が送信されない送信停止期間を推定する時分割複信情報推定部と、
前記送信停止期間の推定が誤っていることを前記第１の通信システムの上りリンクの信号又は下りリンクの信号に基づいて検出する推定誤り検出部と、
前記送信停止期間の推定が誤っている場合、前記第１の通信システムの上りリンクの信号に対する前記中継部における帯域の割り当てを、前記第２の通信システムの上りリンクの信号に対する前記中継部における帯域の割り当てより優先する帯域割当て部と、
を備える伝送システム。
【請求項２】
前記帯域割当て部は、前記送信停止期間において前記第１の通信システムの上りリンクの信号を中継する検出用帯域を割り当て、
前記推定誤り検出部は、前記検出用帯域において前記第１の通信システムの上りリンクの信号が前記中継部で受信された場合、前記送信停止期間の推定に誤りがあると判定する、請求項１に記載の伝送システム。
【請求項３】
前記推定誤り検出部は、前記送信停止期間以外の期間において前記第１の通信システムの下りリンクの信号が前記中継部で受信された場合、前記送信停止期間の推定に誤りがあると判定する、請求項１に記載の伝送システム。
【請求項４】
前記帯域割当て部は、前記第１の通信システムの上りリンクの信号に対する帯域割り当てを一定の周期ごと行い、
前記帯域割当て部は、前記推定誤り検出部により前記送信停止期間の推定に誤りがあると判定されると、前記周期が始まるタイミングを更新する、請求項１に記載の伝送システム。
【請求項５】
前記推定誤り検出部は、前記第１の通信システムの上りリンクにおけるトラヒック量が周期的に増減する場合、前記送信停止期間の推定が誤っていると判定する、請求項１に記載の伝送システム。
【請求項６】
時分割複信によって通信する第１の通信システムの通信回線と、第２の通信システムの通信回線とを収容する伝送システムにおける伝送方法であって、
前記第１及び第２の通信システムにおける上りリンクの信号と下りリンクの信号とを中継するステップと、
前記第１の通信システムの上りリンクの信号が送信されない送信停止期間を推定するステップと、
前記送信停止期間の推定が誤っていることを前記第１の通信システムの上りリンクの信号又は下りリンクの信号に基づいて検出するステップと、
前記送信停止期間の推定が誤っていることが検出された場合、前記第１の通信システムの上りリンクの信号に対する中継における帯域の割り当てを、前記第２の通信システムの上りリンクの信号に対する中継における帯域の割り当てより優先させるステップと、
を含む伝送方法。
【請求項７】
時分割複信によって通信する第１の通信システムの通信回線と、第２の通信システムの通信回線とを収容する伝送装置であって、
前記第１及び第２の通信システムにおける上りリンクの信号と下りリンクの信号とを中継する中継部と、
前記第１の通信システムの上りリンクの信号が送信されない送信停止期間を推定する時分割複信情報推定部と、
前記送信停止期間の推定が誤っていることを前記第１の通信システムの上りリンクの信号又は下りリンクの信号に基づいて検出する推定誤り検出部と、
前記送信停止期間の推定が誤っている場合、前記第１の通信システムの上りリンクの信号に対する前記中継部における帯域の割り当てを、前記第２の通信システムの上りリンクの信号に対する前記中継部における帯域の割り当てより優先する帯域割当て部と、
を備える伝送装置。
【発明の詳細な説明】
【技術分野】
【０００１】
本発明は、伝送システム、伝送方法及び伝送装置に関する。
本願は、２０１５年１０月８日に、日本に出願された特願２０１５−２００３７２号に基づき優先権を主張し、その内容をここに援用する。
【背景技術】
【０００２】
無線通信システムでは、無線基地局のアンテナ部（RRH: Remote Radio Head）と信号処理部（BBU: Baseband Unit）とが分離される場合がある。ＲＲＨとＢＢＵとは、モバイルフロントホールを介して通信する。【０００３】
図１２は、モバイルフロントホールの構成の例を示す図である。モバイルフロントホールでは、光波長分割多重（WDM: Wavelength Division Multiplex）方式の通信が用いられる。光波長分割多重方式では、上りリンクで使用される光の波長と、下りリンクで使用される光の波長とは異なる。上りリンクとは、移動無線端末等である下位装置からＢＢＵ等である上位装置へのリンクである。下りリンクとは、上位装置から下位装置へのリンクである。伝送システムは、光波長分割多重方式を用いることによって、一芯の光ファイバを介して、上りリンクの信号と下りリンクの信号とを同時に伝送する（非特許文献１参照）。【０００４】
伝送システムは、ＴＤＤ（Time Division Duplex）（時分割複信）方式による通信システムの信号を、ＦＤＤ（Frequency Division Duplex）（周波数分割複信）方式によって中継する場合がある。ＦＤＤ方式では、上りリンクと下りリンクとで異なる周波数帯が用いられる。ＴＤＤ方式では、上りリンクと下りリンクとで同じ周波数帯が用いられる。ＴＤＤ方式では、上りリンクの信号と下りリンクの信号とを時間軸上で切り替える。【０００５】
図１３は、ＬＴＥ（Long Term Evolution）のＴＤＤフレームの構成を示す図である。ＬＴＥでは、ＴＤＤフレームは、１０個のＴＤＤサブフレームから構成される。ＴＤＤサブフレームに対するダウンリンクサブフレーム、アップリンクサブフレーム及びスペシャルサブフレームの割り当ての組み合わせは、７種類ある。ＬＴＥでは、ＴＤＤサブフレームの時間長は１ミリ秒である。ＴＤＤ方式では、ＴＤＤフレームにおける各ＴＤＤサブフレームに対する割り当ては、上りリンク及び下りリンクのトラヒックに応じて定められる。ＴＤＤフレームにおける上りリンク及び下りリンクの通信時間の割合は、ＴＤＤサブフレームに対する割り当てがトラヒックに応じて定められることによって柔軟に変更可能である。【０００６】
スペシャルサブフレーム（Ｓ）は、ダウンリンクパイロットタイムスロット（ＤｗＰＴＳ）と、ガードピリオド（ＧＰ）と、アップリンクパイロットタイムスロット（ＵｐＰＴＳ）とから構成される（非特許文献２参照）。ＤｗＰＴＳは、下り制御信号の送信に用いられるタイムスロットである。ＵｐＰＴＳは、上り制御信号の送信に用いられるタイムスロットである。ＧＰは、上りリンクの信号と下りリンクの信号とを切り替えるための保護時間である。【０００７】
図１４は、ＴＤＤ方式の無線基地局を収容する場合について、モバイルフロントホールにおける無線区間と光区間との帯域利用の例を示す図である。無線区間では、下りリンクの信号の送信と上りリンクの信号の送信とを時間軸上で切り替えることによって、データ信号が双方向に伝送される。また、光区間では、無線区間における切り替えに応じて上りリンクの信号の送信と下りリンクの信号の送信とを時間軸上で交互に行うことによって、データ信号が双方向に伝送される。したがって、ＷＤＭ方式を採用している光区間では、ＴＤＤ方式によって信号を送信しない時間軸上の期間（以下、「ＴＤＤ未送信期間」という。）が生じることがある。すなわち、ＴＤＤ未送信期間は、無線通信システムの信号の送信停止期間である。ＴＤＤ未送信期間は、上りリンクと下りリンクとのいずれにも生じる。【０００８】
モバイルシステムの信号と、ＦＴＴＨ（Fiber To The Home）等である他通信システムの信号とを、ＴＤＤ未送信期間において重畳する伝送システムがある（非特許文献３参照）。【０００９】
図１５は、光区間にＰＯＮ（Passive Optical Network）を用いたネットワークシステムの例を示す図である。ＯＬＴ（Optical Line Terminal）（光加入者線終端装置）は、無線通信システムから光ファイバを介して伝送された信号に基づいて、ＴＤＤ未送信期間を推定する光装置である。【００１０】
図１６は、ＯＬＴの構成の例を示すブロック図である。ＯＬＴは、初期状態では、無線通信システムの上りリンクの信号に固定的に帯域を割り当てる。以下、固定的に帯域を割り当てることを「ＦＢＡ（Fixed Bandwidth Allocation）」という。ＯＬＴは、初期状態では、他通信システムの信号を送信停止にする。ＴＤＤフレーム情報推定部は、ＴＤＤサブフレームの構成を推定する。すなわち、ＴＤＤフレーム情報推定部は、ＴＤＤサブフレームが上りリンク又は下りリンクのいずれに割り当てられているＴＤＤサブフレームであるかを、推定結果に基づいて判定する。【００１１】
ＴＤＤフレーム情報推定部は、ＴＤＤサブフレームの構成の推定結果と、ＴＤＤサブフレームのタイミングの推定結果とに基づいて、ＴＤＤ未送信期間を推定する。ＴＤＤフレーム情報推定部は、ＴＤＤ未送信期間を推定するために、必要とされる一定以上のトラヒック量（以下、「要求トラヒック量」という。）の信号を取得する必要がある。【００１２】
トラヒックモニタ部は、ＴＤＤフレーム情報推定部が要求トラヒック量以上のトラヒック量の信号を取得することができるように、無線通信システムの上りリンクの信号のトラヒックをモニタする時間の長さを調節する。なお、トラヒックモニタ部は、上りリンクの信号をモニタにしてもよいし、下りリンクの信号をモニタにしてもよい。【００１３】
ＴＤＤフレーム情報推定部は、ＴＤＤフレームパターン情報を、タイミング計算部に通知する。すなわち、ＴＤＤフレーム情報推定部は、ＴＤＤサブフレームの構成の推定結果とＴＤＤサブフレームのタイミングを表す情報とを、タイミング計算部に送信する。タイミング計算部は、無線通信システムが信号の伝送に使用することが可能であるタイミング（以下、「使用可能タイミング」という。）を、ＴＤＤフレームパターン情報に基づいて計算する。タイミング計算部は、使用可能タイミングを、タイミング指示部に通知する。【００１４】
タイミング指示部は、使用可能タイミングに基づいて、無線通信システムが信号の伝送に使用するタイミング（以下、「使用タイミング」という。）を定める。タイミング指示部は、使用タイミングを、下りリンクのＬ２ＳＷ（レイヤ２スイッチ）に通知する。タイミング指示部は、帯域割当方法選択部が上りリンクの信号に帯域を割り当る方法を切り替えるために、使用タイミングを帯域割当方法選択部に送信する。【００１５】
ＴＤＤ未送信期間が正しく推定されている状態（以下、「正常状態」という。）では、帯域割当方法選択部は、ＴＤＤ方式によって信号を送信する時間軸上の期間（以下、「ＴＤＤ送信期間」という。）において、無線通信システムの上りリンクの信号にＦＢＡによって帯域を割り当てる。正常状態では、帯域割当方法選択部は、ＴＤＤ未送信期間において、他通信システムの信号に帯域を、ＦＢＡ又は動的帯域割当て（DBA: Dynamic Bandwidth Allocation）によって割り当てる。帯域割当方法選択部は、帯域を割り当てる方法を表す情報（以下、「帯域割当方法情報」という。）を、帯域割当て部に送信する。帯域割当て部は、帯域割当方法情報に基づいて、無線通信システムの上りリンクの信号を帯域に割り当てる。
【先行技術文献】
【非特許文献】
【００１６】
【非特許文献１】”ＮＴＴ技術ジャーナル、技術基礎講座[GE-PON技術]、第一回 PONとは”，［online］，2005年，日本電信電話株式会社，［平成27年5月21日検索］，インターネット <URL http://www.ntt.co.jp/journal/0508/files/jn200508071.pdf>
【非特許文献２】3GPP，"Evolved Universal Terrestrial Radio Access (E-UTRA) and Evolved Universal Terrestrial Radio Access Network (E-UTRAN); Overall description; Stage2 (Release 12)"，3GPP TR 36.300(V12.4.0)，2013年 (5 Physical Layer for E-UTRA)
【非特許文献３】久野ほか，”モバイルTDDフレーム推定を用いたモバイルシステムと他通信システムの同一PON収容の一検討,”電子情報通信学会ソサイエティ大会2015, B-8-10, 2015年9月
【発明の概要】
【発明が解決しようとする課題】
【００１７】
以下、上りリンクのＴＤＤサブフレームが下りリンクのＴＤＤサブフレームと推定されてしまうこと、又は、下りリンクのＴＤＤサブフレームが上りリンクのＴＤＤサブフレームと推定されてしまうことを「推定誤り」という。例えば、ＴＤＤフレーム情報推定部は、無線通信システムのＴＤＤサブフレームの構成が変更された場合に、推定誤りをしてしまうことがある。【００１８】
ＴＤＤフレーム情報推定部は、無線通信システムの上りリンクの信号に基づいて、ＴＤＤ未送信期間を推定する。ＴＤＤフレーム情報推定部は、推定誤りが発生した場合、ＴＤＤ未送信期間の推定を誤ってしまう。推定誤りは、無線通信システムの通信品質に影響を与える。例えば、無線通信システム以外の他通信システムがＴＤＤ送信期間において上りリンクの信号を送信した場合、無線通信システムの上りリンクの信号は遅延してしまう。【００１９】
図１７は、正常状態のトラヒックの例を示すタイムチャートである。正常状態では、推定されたＴＤＤ未送信期間と、実際のＴＤＤ未送信期間とは、伝搬遅延を無視すれば同じタイミングである。すなわち、無線通信システムの上りリンクの信号は、ＴＤＤサブフレームの構成の区切りに同期して送信される。他通信システムの上りリンクの信号は、ＴＤＤサブフレームの構成の区切りに同期して送信される。【００２０】
図１８は、推定誤りの発生した異常状態のトラヒックの例を示すタイムチャートである。異常状態では、推定されたＴＤＤ未送信期間と、実際のＴＤＤ未送信期間とは異なる。無線通信システムの上りリンクの信号の送信は、推定結果に基づいて割り当てられた信号送信区間まで遅延する。このような遅延はミリ秒オーダであるが、モバイルフロントホールでは許容することができないという問題がある。【００２１】
上記事情に鑑み、本発明は、時分割複信によって通信する通信システムの通信回線と他通信システムの通信回線とを収容する伝送システムにおいて、通信システムの信号の構成について推定誤りが発生した場合でも、通信システムの信号に生じる遅延を抑制することが可能である伝送システム、伝送方法及び伝送装置を提供することを目的としている。
【課題を解決するための手段】
【００２２】
本発明の第一の実施態様による伝送システムは、時分割複信によって通信する第１の通信システムの通信回線と、第２の通信システムの通信回線とを収容する伝送システムであって、前記第１及び第２の通信システムにおける上りリンクの信号と下りリンクの信号とを中継する中継部と、前記第１の通信システムの上りリンクの信号が送信されない送信停止期間を推定する時分割複信情報推定部と、前記送信停止期間の推定が誤っていることを前記第１の通信システムの上りリンクの信号又は下りリンクの信号に基づいて検出する推定誤り検出部と、前記送信停止期間の推定が誤っている場合、前記第１の通信システムの上りリンクの信号に対する前記中継部における帯域の割り当てを、前記第２の通信システムの上りリンクの信号に対する前記中継部における帯域の割り当てより優先する帯域割当て部と、を備える。【００２３】
本発明の第二の実施態様によれば、上記第一の実施態様の伝送システムにおいて、前記帯域割当て部は、前記送信停止期間において前記第１の通信システムの上りリンクの信号を中継する検出用帯域を割り当て、前記推定誤り検出部は、前記検出用帯域において前記第１の通信システムの上りリンクの信号が前記中継部で受信された場合、前記送信停止期間の推定に誤りがあると判定する。【００２４】
本発明の第三の実施態様によれば、上記第一又は第二の実施態様の伝送システムにおいて、前記推定誤り検出部は、前記送信停止期間以外の期間において前記第１の通信システムの下りリンクの信号が前記中継部で受信された場合、前記送信停止期間の推定に誤りがあると判定する。【００２５】
本発明の第四の実施態様によれば、上記の第一から第三の実施態様の伝送システムにおいて、前記帯域割当て部は、前記第１の通信システムの上りリンクの信号に対する帯域割り当てを一定の周期ごと行い、前記帯域割当て部は、前記推定誤り検出部により前記送信停止期間の推定に誤りがあると判定されると、前記周期が始まるタイミングを更新する。【００２６】
本発明の第五の実施態様によれば、上記の第一から第四の実施態様の伝送システムにおいて、前記推定誤り検出部は、前記第１の通信システムの上りリンクにおけるトラヒック量が周期的に増減する場合、前記送信停止期間の推定が誤っていると判定する。【００２７】
本発明の第六の実施態様による伝送法方は、時分割複信によって通信する第１の通信システムの通信回線と、第２の通信システムの通信回線とを収容する伝送システムにおける伝送方法であって、前記第１及び第２の通信システムにおける上りリンクの信号と下りリンクの信号とを中継するステップと、前記第１の通信システムの上りリンクの信号が送信されない送信停止期間を推定するステップと、前記送信停止期間の推定が誤っていることを前記第１の通信システムの上りリンクの信号又は下りリンクの信号に基づいて検出するステップと、前記送信停止期間の推定が誤っていることが検出された場合、前記第１の通信システムの上りリンクの信号に対する中継における帯域の割り当てを、前記第２の通信システムの上りリンクの信号に対する中継における帯域の割り当てより優先させるステップと、を含む。【００２８】
本発明の第七の実施態様による伝送装置は、時分割複信によって通信する第１の通信システムの通信回線と、第２の通信システムの通信回線とを収容する伝送装置であって、前記第１及び第２の通信システムにおける上りリンクの信号と下りリンクの信号とを中継する中継部と、前記第１の通信システムの上りリンクの信号が送信されない送信停止期間を推定する時分割複信情報推定部と、前記送信停止期間の推定が誤っていることを前記第１の通信システムの上りリンクの信号又は下りリンクの信号に基づいて検出する推定誤り検出部と、前記送信停止期間の推定が誤っている場合、前記第１の通信システムの上りリンクの信号に対する前記中継部における帯域の割り当てを、前記第２の通信システムの上りリンクの信号に対する前記中継部における帯域の割り当てより優先する帯域割当て部と、を備える。
【発明の効果】
【００２９】
本発明により、時分割複信によって通信する通信システムの通信回線と他通信システムの通信回線とを収容する伝送システムにおいて、通信システムの信号の構成について推定誤りが発生した場合でも、通信システムの信号の遅延を抑制することが可能となる。
【図面の簡単な説明】
【００３０】
【図１】実施形態における、ネットワークシステムの構成の例を示す図である。
【図２】第１の実施形態における、ＯＬＴの構成の例を示すブロック図である。
【図３】第１の実施形態における、トラヒックの例を示すタイムチャートである。
【図４】第１の実施形態における、ＯＬＴの動作の例を示すフローチャートである。
【図５】第２の実施形態における、ＯＬＴの構成の例を示すブロック図である。
【図６】第２の実施形態における、トラヒックの例を示すタイムチャートである。
【図７】第３の実施形態における、ＯＬＴの構成の例を示すブロック図である。
【図８】第３の実施形態における、トラヒックの例を示すタイムチャートである。
【図９】第４の実施形態における、トラヒックの例を示すタイムチャートである。
【図１０】第４の実施形態における、ＯＬＴの動作の例を示すフローチャートである。
【図１１】第５の実施形態における、ＯＬＴの構成の例を示すブロック図である。
【図１２】従来技術における、モバイルフロントホールの構成の例を示す図である。
【図１３】従来技術における、ＬＴＥのＴＤＤフレーム構成を示す図である。
【図１４】従来技術における、ＴＤＤ方式の無線基地局を収容する場合について、モバイルフロントホールにおける無線区間と光区間の帯域利用の例を示す図である。
【図１５】従来技術における、光区間にＰＯＮを用いたネットワークシステムの例を示す図である。
【図１６】従来技術における、ＯＬＴの構成の例を示すブロック図である。
【図１７】従来技術における、正常状態のトラヒックの例を示すタイムチャートである。
【図１８】従来技術における、推定誤りの発生した異常状態のトラヒックの例を示すタイムチャートである。
【発明を実施するための形態】
【００３１】
本発明の実施形態について、図面を参照して詳細に説明する。
（第１の実施形態）
図１は、ネットワークシステム１００の構成の例を示す図である。ネットワークシステム１００は（伝送システム）、ＯＬＴ１１（伝送装置）と、光スプリッタ１２と、ＯＮＵ１３−１〜１３−４（Optical Network Unit）と、移動無線端末２１−１〜２１−２と、ＲＲＨ２２−１〜２２−２（無線通信システム）と、ＢＢＵ２３と、モバイルＮＷ２４（モバイルネットワーク）と、他通信システム３１と、他通信システム３２と、Ｌ２ＳＷ３３（レイヤ２スイッチ）と、他サービスＮＷ３４（他サービスネットワーク）と、光ファイバ５１と、光ファイバ５２−１〜５２−４とを備える。
【００３２】
以下、ＯＮＵ１３−１〜１３−４に共通する事項について説明する際には、符号の一部を省略して、「ＯＮＵ１３」と表記する。以下、移動無線端末２１−１〜２１−２に共通する事項について説明する際には、符号の一部を省略して、「移動無線端末２１」と表記する。以下、ＲＲＨ２２−１〜２２−２に共通する事項について説明する際には、符号の一部を省略して、「ＲＲＨ２２」と表記する。以下、光ファイバ５２−１〜５２−４に共通する事項について説明する際には、符号の一部を省略して、「光ファイバ５２」と表記する。
【００３３】
ネットワークシステム１００は、更に多くのＯＮＵ１３を備えてもよい。ネットワークシステム１００は、更に多くの移動無線端末２１を備えてもよい。ネットワークシステム１００は、更に多くのＲＲＨ２２を備えてもよい。
【００３４】
以下、ＯＬＴ１１からＯＮＵ１３に向かう方向を「下り」という。以下、ＯＮＵ１３からＯＬＴ１１に向かう方向を「上り」という。図１では、光区間は、ＯＬＴ１１からＯＮＵ１３までの区間である。光区間は、例えば、ＰＯＮ（Passive Optical network）である。ネットワークシステム１００のネットワークトポロジは、どのような構成でもよく、特定のトポロジに限定されない。以下では、一例として、ネットワークシステム１００がＰＯＮを備える場合について説明する。
【００３５】
ＯＬＴ１１は、光加入者線終端装置である。ＯＬＴ１１は、ＯＮＵ１３と比較して上位の装置である。ＯＬＴ１１は、例えば、通信事業者によって管理される。ＯＬＴ１１は、ＲＲＨ２２の信号をＢＢＵ２３へ中継する。ＯＬＴ１１は、ＲＲＨ２２−１の信号をＯＮＵ１３−１と光ファイバ５２−１と光スプリッタ１２と光ファイバ５１とを介して受信し、受信した信号をＢＢＵ２３に中継する。ＯＬＴ１１は、ＲＲＨ２２−２の信号をＯＮＵ１３−２と光ファイバ５２−２と光スプリッタ１２と光ファイバ５１とを介して受信し、受信した信号をＢＢＵ２３に中継する。ＯＬＴ１１は、ＲＲＨ２２とＢＢＵ２３との間の通信回線を収容する。ＯＬＴ１１は、ＲＲＨ２２とＢＢＵ２３との間で送受信される信号を中継する。
【００３６】
ＯＬＴ１１は、他通信システム３１の信号を他サービスＮＷ３４へ中継する。ＯＬＴ１１は、他通信システム３１の信号をＯＮＵ１３−３と光ファイバ５２−３と光スプリッタ１２と光ファイバ５１とを介して受信し、受信した信号を他サービスＮＷ３４の他通信システム上位装置に中継する。ＯＬＴ１１は、他通信システム３２の信号をＯＮＵ１３−４と光ファイバ５２−４と光スプリッタ１２と光ファイバ５１とを介して受信し、受信した信号を他サービスＮＷ３４の他通信システム上位装置に中継する。ＯＬＴ１１は、他通信システム３１、３２と他サービスＮＷの他通信システム上位装置との間の通信回線を収容する。ＯＬＴ１１は、他通信システム３１、３２と他サービスＮＷの他通信システム上位装置との間で送受信される信号を中継する。
【００３７】
ＯＬＴ１１は、光区間の上りリンクと下りリンクとにおいて、ＴＤＤ未送信期間（ＴＤＤ方式による通信の空き期間）を定める。ＯＬＴ１１は、ＲＲＨ２２のＴＤＤ未送信期間において、他通信システム３１、３２の信号を送信する。すなわち、ＯＬＴ１１は、光区間の上りリンクのＴＤＤ未送信期間において、他通信システム３１、３２から取得した上りリンクの信号を中継する。ＯＬＴ１１は、光区間の下りリンクのＴＤＤ未送信期間において、他通信システム３１、３２に下り信号を中継する。
【００３８】
ＯＬＴ１１は、ＯＮＵ１３との間において、周波数分割複信（ＦＤＤ）方式によって信号を伝送する。ＦＤＤ方式では、上りリンクと下りリンクとで異なる周波数帯が用いられる。ＯＬＴ１１は、上りリンクと下りリンクとで異なる波長の光信号を、光波長多重伝送（WDM: Wavelength Division Multiplex）方式によって伝送する。ＷＤＭ方式は、光伝送におけるＦＤＤ方式の一種である。ＷＤＭ方式では、光信号の第１波長λ１と第２波長λ２とが定められている。
【００３９】
ＯＬＴ１１は、予め定められた第１波長λ１の光信号を用いて、モバイルＮＷ２４の下りリンクの信号をＯＮＵ１３−１に中継する。ＯＬＴ１１は、第１波長λ１の光信号を用いて、モバイルＮＷ２４の下りリンクの信号をＯＮＵ１３−２に中継する。ＯＬＴ１１は、第１波長λ１の光信号を用いて、他サービスＮＷ３４の下りリンクの信号をＯＮＵ１３−３に中継する。ＯＬＴ１１は、第１波長λ１の光信号を用いて、他サービスＮＷ３４の下りリンクの信号をＯＮＵ１３−４に中継する。
【００４０】
ＯＬＴ１１は、予め定められた第２波長λ２の光信号を用いて、ＯＮＵ１３−１の上りリンクの信号をモバイルＮＷ２４に中継する。ＯＬＴ１１は、第２波長λ２の光信号を用いて、ＯＮＵ１３−２の上りリンクの信号をモバイルＮＷ２４に中継する。ＯＬＴ１１は、第２波長λ２の光信号を用いて、ＯＮＵ１３−３の上りリンクの信号を他サービスＮＷ３４に中継する。ＯＬＴ１１は、第２波長λ２の光信号を用いて、ＯＮＵ１３−４の上りリンクの信号を他サービスＮＷ３４に中継する。なお、ＯＬＴ１１は、光信号と光信号以外の無線信号とを用いて信号を中継してもよい。
【００４１】
光スプリッタ１２は、光ファイバ５１を介して受信したＴＤＭ（時分割多重）方式の光信号を、ＯＮＵ１３−１〜１３−４に分配する。光スプリッタ１２は、光ファイバ５２を介してＯＮＵ１３−１〜１３−４から受信したＴＤＭＡ（時分割多元接続）方式の光信号を合波する。光スプリッタ１２は、合波された光信号を、光ファイバ５１を介してＯＬＴ１１に送信する。
【００４２】
ＯＮＵ１３は、通信装置である。ＯＮＵ１３は、例えば、光加入者線ネットワーク装置である。ＯＮＵ１３は、例えば、加入者宅に設置される。ＯＮＵ１３−１は、ＲＲＨ２２−１に接続される。ＯＮＵ１３−１は、光スプリッタ１２とＲＲＨ２２−１との間の通信を中継する。ＯＮＵ１３−２は、ＲＲＨ２２−２に接続される。ＯＮＵ１３−２は、光スプリッタ１２とＲＲＨ２２−２との間の通信を中継する。ＯＮＵ１３−３は、他通信システム３１に接続される。ＯＮＵ１３−３は、光スプリッタ１２と他通信システム３１との間の通信を中継する。ＯＮＵ１３−４は、他通信システム３２に接続される。ＯＮＵ１３−４は、光スプリッタ１２と他通信システム３２との間の通信を中継する。
【００４３】
移動無線端末２１は、ＲＲＨ２２との間の無線区間において周波数ｆ１の無線信号を用いて、ＴＤＤ方式により通信してもよい。
ＲＲＨ２２は、ＯＮＵ１３との間の上りリンク及び下りリンクの通信を、ＴＤＤ方式によって実行する。ＴＤＤ方式では、上りリンクと下りリンクとで同じ周波数帯が用いられる。ＴＤＤ方式では、信号は時間軸上で直交する。ＲＲＨ２２は、移動無線端末２１との間の無線区間において周波数ｆ１の無線信号を用いて、ＴＤＤ方式により通信してもよい。
【００４４】
以下、ＯＮＵ１３−１と、移動無線端末２１−１と、ＲＲＨ２２−１とをまとめて「無線通信システム」という。無線通信システムは、ＯＮＵ１３−２と、移動無線端末２１−２と、ＲＲＨ２２−２とを更に備えてもよい。
【００４５】
ＢＢＵ２３は、無線基地局の信号処理部である。ＢＢＵ２３は、Ｌ２ＳＷ３３から取得した信号を、モバイルＮＷ２４に送信する。ＢＢＵ２３は、モバイルＮＷ２４から取得した信号を、Ｌ２ＳＷ３３に送信する。
【００４６】
モバイルＮＷ２４は、移動体通信のネットワークである。モバイルＮＷ２４は、無線通信システムに対する上位のネットワークである。モバイルＮＷ２４は、通信装置を備える。モバイルＮＷ２４は、ＢＢＵ２３と通信する。
【００４７】
他通信システム３１は、移動無線端末２１、ＲＲＨ２２、ＢＢＵ２３及びモバイルＮＷ２４からなるモバイルネットワークシステムと比較して、高速性や低遅延性等の要求条件に寛容な通信システムである。
他通信システム３２は、他通信システム３１とは異なる通信システムである。他通信システム３２は、移動無線端末２１、ＲＲＨ２２、ＢＢＵ２３及びモバイルＮＷ２４からなるモバイルネットワークシステムと比較して、高速性や低遅延性等の要求条件に寛容な通信システムである。以下、他通信システム３１と他通信システム３２とに共通する事項について説明する際には、符号を省略して、「他通信システム」という。
【００４８】
Ｌ２ＳＷ３３は、ＢＢＵ２３又は他サービスＮＷ３４から取得した信号をＯＬＴ１１に送信する。Ｌ２ＳＷ３３は、ＯＬＴ１１から取得した信号をＢＢＵ２３又は他サービスＮＷ３４に送信する。Ｌ２ＳＷ３３は、例えば、ＭＡＣ（Media Access Control）アドレスに基づいて中継先を決定する。
【００４９】
他サービスＮＷ３４は、通信装置である他通信システム上位装置を備える。他サービスＮＷ３４は、他通信システムに対する上位のネットワークである。他サービスＮＷ３４は、Ｌ２ＳＷ３３を介して、他通信システムと通信する。
【００５０】
図２は、第１の実施形態における、ＯＬＴ１１０ａの構成の例を示すブロック図である。ＯＬＴ１１０ａは、図１に示すＯＬＴ１１である。なお、ＯＬＴ１１０ａは、ＯＬＴ１１と接続される外部装置でもよい。
【００５１】
ネットワークシステム１００において、ＯＬＴ１１にいて中継されるトラヒック量が周期的に過多になる場合、推定誤りが発生している可能性が高い。異常状態では、ＯＮＵ１３−１及び１３−２のバッファ部において記憶される送信待ちの上りリンクの信号のデータ量は、正常状態と比較して多くなる。ＯＮＵ１３−１及び１３−２のバッファ部は、データ量の多い上りリンクの信号を、送信可能時刻に一斉に送信する。このため、ネットワークシステム１００では、周期的なトラヒックの過多は発生する。トラヒックが一定量を超えると輻輳が発生することがある。
【００５２】
第１の実施形態では、ＯＬＴ１１０ａは、ＯＮＵ１３−１又は１３−２から送信される無線通信システムの上りリンクの信号を監視する。ＯＬＴ１１０ａは、無線通信システムの上りリンクの信号に基づいて、ネットワークのトラヒック量の増減を検出する。
【００５３】
ＯＬＴ１１０ａは、バッファ部１１１−１と、バッファ部１１１−２と、Ｌ２ＳＷ１１２と、下り信号処理部１１３と、Ｅ／Ｏ変換部１１４と、Ｏ／Ｅ変換部１１５と、上り信号処理部１１６と、Ｌ２ＳＷ１１７と、トラヒック量抽出部１１８と、推定誤り検出部１１９と、帯域割当て計算部１２０と、帯域割当て部１２１と、時分割複信情報推定部１２２とを備える。
【００５４】
以下、バッファ部１１１−１と、バッファ部１１１−２と、Ｌ２ＳＷ１１２と、下り信号処理部１１３と、Ｅ／Ｏ変換部１１４と、Ｏ／Ｅ変換部１１５と、上り信号処理部１１６と、Ｌ２ＳＷ１１７とをまとめて「中継部」という。
【００５５】
中継部と、トラヒック量抽出部１１８と、推定誤り検出部１１９と、帯域割当て計算部１２０と、帯域割当て部１２１と、時分割複信情報推定部１２２との一部または全部は、例えば、ＣＰＵ（Central Processing Unit）等のプロセッサが、メモリに記憶されたプログラムを実行することにより機能するソフトウェア機能部としてもよい。また、これらの機能部のうち一部または全部は、ＬＳＩ（Large Scale Integration）やＡＳＩＣ（Application Specific Integrated Circuit）等のハードウェア機能部（回路）であってもよい。
【００５６】
バッファ部１１１−１は、下りリンクの信号をＢＢＵ２３から取得する。バッファ部１１１−１は、下りリンクの信号を一時的に記憶する。バッファ部１１１−１は、下りリンクの信号をＬ２ＳＷ１１２に送信する。
【００５７】
バッファ部１１１−２は、下りリンクの信号を他通信システム上位装置３６から取得する。バッファ部１１１−２は、下りリンクの信号を一時的に記憶する。バッファ部１１１−２は、下りリンクの信号をＬ２ＳＷ１１２に送信する。
【００５８】
Ｌ２ＳＷ１１２は、制御信号に応じて、バッファ部１１１−１またはバッファ部１１１−２から下りリンクの信号を取得する。Ｌ２ＳＷ１１２は、下りリンクの信号を下り信号処理部１１３に送信する。
【００５９】
下り信号処理部１１３は、帯域割当て部１２１から、上りリンクの信号に割り当てる帯域を表す情報（以下、「帯域割当て情報」という。）を取得する。下り信号処理部１１３は、Ｌ２ＳＷ１１２から取得した下りリンクの信号を、ＰＯＮで用いられるフレームに変換する。下り信号処理部１１３は、例えば、帯域割当て情報を含むＧＡＴＥフレームを生成してもよい。下り信号処理部１１３は、帯域割当て情報をＥ／Ｏ変換部１１４に送信する。
【００６０】
Ｅ／Ｏ変換部１１４は、下り信号処理部１１３によりフレームに変換された下りリンクの信号（電気信号）を、波長λ１の光信号に変換する。Ｅ／Ｏ変換部１１４は、第１波長λ１の光信号を、光カプラを介して光ファイバ５１に送信する。光信号は、光ファイバ５１及び光ファイバ５２を介して、ＯＮＵ１３に送信される。
【００６１】
Ｏ／Ｅ変換部１１５は、光ファイバ５２、光スプリッタ１２及び光ファイバ５１を介して、第２波長λ２の光信号を、ＯＮＵ１３から取得する。Ｏ／Ｅ変換部１１５は、受信した光信号を電気信号に変換する。Ｏ／Ｅ変換部１１５は、電気信号を上り信号処理部１１６に送信する。
【００６２】
上り信号処理部１１６は、Ｏ／Ｅ変換部１１５から取得した電気信号を、上りリンクの信号に応じた所定の信号に変換する。上り信号処理部１１６は、変換された上りリンクの信号をＬ２ＳＷ１１７に送信する。
【００６３】
Ｌ２ＳＷ１１７は、上りリンクの信号を上り信号処理部１１６から取得する。Ｌ２ＳＷ１１７は、上りリンクの信号を、上りリンク信号の宛先に応じてＢＢＵ２３又は他通信システム上位装置３６に送信する。
【００６４】
トラヒック量抽出部１１８は、上りリンクの信号をモニタリングする。例えば、トラヒック量抽出部１１８は、無線通信システムの上りリンクの信号のトラヒックの過多を検出する。トラヒック量抽出部１１８は、トラヒックの過多状態を検出したことを表す情報（以下、「過多状態通知」という。）を、推定誤り検出部１１９に送信する。トラヒック過多の検出は、トラヒックが予め定められた第１閾値を超えたか否かの判定、又は、トラヒックの分散が予め定められた第２閾値を超えたか否かの判定を用いて行われる。トラヒックが第１閾値を超えた場合、又は、トラヒックの分散が第２閾値を超えた場合、トラヒックの過多が検出される。
【００６５】
推定誤り検出部１１９は、過多状態通知に基づいて、推定誤りが発生したことを検出する。例えば、推定誤り検出部１１９は、トラヒックの過多が周期的である場合、推定誤りが発生したと判定する。推定誤り検出部１１９は、推定誤りが発生したことを表す情報（以下、「推定誤り情報」という。）を、帯域割当て計算部１２０に送信する。
【００６６】
帯域割当て計算部１２０は、推定誤り情報を取得した場合、帯域割当て情報を再計算する。すなわち、帯域割当て計算部１２０は、推定誤り情報を取得した場合、帯域割当て情報を再度決定する。帯域割当て計算部１２０は、帯域割当て情報（計算結果）を、帯域割当て部１２１に送信する。
【００６７】
帯域割当て部１２１は、帯域割当て情報を、下り信号処理部１１３を介してＯＮＵ１３に送信する。帯域割当て部１２１は、ＴＤＤ未送信期間の推定が誤っている場合、無線通信システムの上りリンクの信号に対する帯域の割り当てを初期化する。例えば、帯域割当て部１２１は、ＴＤＤ未送信期間の推定が誤っている場合、帯域の割り当て方法を初期化する。帯域割当て部１２１は、初期状態では、無線通信システムの上りリンクの信号にＦＢＡによって帯域を割り当てる。帯域割当て部１２１は、初期状態では、他通信システムの信号を送信停止にする。ネットワークシステム１００におけるトラヒック量は、帯域割当て情報に基づいて初期状態に戻る。
【００６８】
時分割複信情報推定部１２２は、図１６に示したＴＤＤフレーム情報推定部と、タイミング計算部と、タイミング指示部と、帯域割当方法選択部とを備える。時分割複信情報推定部１２２のＴＤＤフレーム情報推定部は、ＴＤＤサブフレームの構成を推定する。ＴＤＤサブフレームの構成は、ＴＤＤフレーム内のＴＤＤサブフレームそれぞれがダウンリンクサブフレーム、アップリンクサブフレーム又はスペシャルサブフレームのいずれに割り当てられているかを表す。時分割複信情報推定部１２２のＴＤＤフレーム情報推定部は、推定したＴＤＤサブフレーム構成を示すＴＤＤフレームパターン情報に基づいて、ＴＤＤ未送信期間を推定する。
【００６９】
時分割複信情報推定部１２２のタイミング計算部は、上りリンクの信号の伝送に使用することが可能である使用可能タイミングを、ＴＤＤフレームパターン情報に基づいて計算する。時分割複信情報推定部１２２のタイミング計算部は、計算した使用可能タイミングを、時分割複信情報推定部１２２のタイミング指示部に通知する。時分割複信情報推定部１２２のタイミング計算部は、上りリンクの信号の伝送に使用する使用タイミングを定める。
【００７０】
時分割複信情報推定部１２２のタイミング計算部は、帯域割当方法選択部が上りリンクの信号に帯域を割り当る方法を切り替えるために、定めた使用タイミングを時分割複信情報推定部１２２の帯域割当方法選択部に送信する。
【００７１】
正常状態では、時分割複信情報推定部１２２の帯域割当方法選択部は、仕様タイミングに基づいたＴＤＤ送信期間において、無線通信システムの上りリンクの信号にＦＢＡによって帯域を割り当てる。正常状態では、時分割複信情報推定部１２２の帯域割当方法選択部は、ＴＤＤ未送信期間において、他通信システムの信号に帯域を、ＦＢＡ又は動的帯域割当て（DBA）によって割り当てる。時分割複信情報推定部１２２の帯域割当方法選択部は、帯域を割り当てる方法を表す帯域割当方法情報を、帯域割当て部１２１に送信する。帯域割当て部１２１は、帯域割当方法情報に基づいて、無線通信システムの上りリンクの信号を帯域に割り当てる。
【００７２】
図３は、第１の実施形態における、トラヒックの例を示すタイムチャートである。横軸は時間を示す。上から１段目は、ＴＤＤサブフレームの構成の区切りを示す。上から２段目は、ＯＬＴ１１０ａが信号を取得する期間を示す。上から３段目は、ＯＮＵ１３−３又は１３−４が信号を送信する期間と、ＯＮＵ１３−３又は１３−４が信号の送信を停止する期間とを示す。上から４段目は、ＯＮＵ１３−１又は１３−２が信号を送信する期間と、ＯＮＵ１３−１又は１３−２が信号の送信を停止する期間とを示す。
【００７３】
図３に示す例では、一部のＴＤＤサブフレームに対する割り当てが、ダウンリンクサブフレームからアップリンクサブフレームに変更されている。ＯＮＵ１３−１又は１３−２は、ＴＤＤサブフレームの構成が変更されたタイミングが送信停止期間であるため、信号の送信を待機する。ＯＮＵ１３−１又は１３−２は、ＴＤＤサブフレームの構成が変更されたタイミングが送信停止期間であるため、信号をバッファ部に記憶させる。以下、上りリンクの信号を送信することが可能である期間を、「信号送信期間」という。ＯＮＵ１３−１又は１３−２は、送信を待機させた上りリンクの信号と今回送信する上りリンクの信号とを、無線通信システムの信号送信期間において送信する。このため、トラヒックの過多が発生する。
【００７４】
図４は、第１の実施形態における、ＯＬＴ１１０ａの動作の例を示すフローチャートである。帯域割当て部１２１は、帯域割当て情報を、下り信号処理部１１３を介してＯＮＵ１３に送信する。帯域割当て部１２１は、初期状態では、無線通信システムの上りリンクの信号にＦＢＡによって帯域を割り当てる。帯域割当て部１２１は、初期状態では、他通信システムの信号を送信停止にする（ステップＳ１０１）。トラヒック量抽出部１１８は、無線通信システムの上りリンクの信号をモニタリングする（ステップＳ１０２）。
【００７５】
時分割複信情報推定部１２２は、要求トラヒック量以上の信号を取得したか否かを判定する（ステップＳ１０３）。時分割複信情報推定部１２２が要求トラヒック量以上の信号を取得していない場合（ステップＳ１０３：ＮＯ）、トラヒック量抽出部１１８は、ステップＳ１０２に処理を戻す。時分割複信情報推定部１２２が要求トラヒック量以上の信号を取得した場合（ステップＳ１０３：ＹＥＳ）、時分割複信情報推定部１２２は、ＴＤＤサブフレームの構成を推定する（ステップＳ１０４）。
【００７６】
正常状態では、時分割複信情報推定部１２２は、ＴＤＤ送信期間において、無線通信システムの上りリンクの信号にＦＢＡによって帯域を割り当てる。正常状態では、時分割複信情報推定部１２２は、ＴＤＤ未送信期間において、無線通信システムの上りリンクの信号を送信停止にする。
【００７７】
正常状態では、時分割複信情報推定部１２２は、ＴＤＤ送信期間において、他通信システムの信号を送信停止にする。正常状態では、時分割複信情報推定部１２２は、ＴＤＤ未送信期間において、他通信システムの信号に帯域を、ＦＢＡ又は動的帯域割当て（DBA）によって割り当てる（ステップＳ１０５）。
【００７８】
推定誤り検出部１１９は、推定誤りが発生したか否かを判定する（ステップＳ１０６）。推定誤りが発生した場合（ステップＳ１０６：ＹＥＳ）、帯域割当て部１２１は、無線通信システムの上りリンクの信号に対する帯域の割り当てを初期化する。すなわち、帯域割当て部１２１は、ステップＳ１０１に処理を戻す。推定誤りが発生していない場合（ステップＳ１０６：ＮＯ）、帯域割当て部１２１は、ステップＳ１０５に処理を戻す。
【００７９】
以上のように、第１の実施形態のネットワークシステム１００は、時分割複信によって通信する通信システムの通信回線と、異なる他通信システムの通信回線とを収容する伝送システムである。ネットワークシステム１００は、中継部と、時分割複信情報推定部１２２と、推定誤り検出部１１９と、帯域割当て部１２１と、ＯＮＵ１３とを備える。中継部は、ＲＲＨ２２を含む無線通信システムの上りリンクの信号と下りリンクの信号とを中継する。時分割複信情報推定部１２２は、送信停止区間のタイミングを推定する。推定誤り検出部１１９は、送信停止期間のタイミングの推定が誤っていることを上りリンクの信号又は下りリンクの信号に基づいて検出する。帯域割当て部１２１は、送信停止期間のタイミングの推定が誤っている場合、無線通信システムの上りリンクの信号に対する帯域の割り当てを初期化する。ＯＮＵ１３は、帯域の割り当てに基づいて無線通信システムの上りリンクの信号を送信する。
【００８０】
第１の実施形態の推定誤り検出部１１９は、上りリンクの信号のトラヒック量が周期的に過多になる場合、送信停止期間のタイミングの推定が誤っていると判定する。帯域割当て部１２１は、推定に誤りがあると判定された場合、帯域の割り当てを初期化することにより、無線通信システムの上りリンクの信号に対する帯域の割り当てを優先させる。これによって、第１の実施形態のネットワークシステム１００（伝送システム）は、時分割複信によって通信する通信システムと他通信システムとを収容するネットワークシステム１００において、通信システムの信号の構成について推定誤りが発生した場合でも、無線通信システムの信号に生じる遅延を抑制することができる。
【００８１】
第１の実施形態のネットワークシステム１００は、ＴＤＤ方式の無線通信システムを、ＰＯＮを用いて収容する。第１の実施形態のネットワークシステム１００は、ＴＤＤサブフレームの構成について推定誤りを検出する。第１の実施形態のＯＬＴ１１０ａ（伝送装置）は、ＯＮＵ１３の信号に対する帯域の割当て情報を初期化する。第１の実施形態のＯＬＴ１１０ａは、ＯＬＴ１１０ａに収容されている全てのＯＮＵ１３の信号に対する帯域の割当て情報を、初期化してもよい。
【００８２】
第１の実施形態のネットワークシステム１００は、無線通信システムの上りリンクの信号の遅延を低減する。例えば、第１の実施形態のネットワークシステム１００は、ＴＤＤサブフレームの構成の推定を誤ったことによって発生してしまう無線通信システムの上りリンクの信号の遅延を低減する。第１の実施形態のネットワークシステム１００は、モバイルフロントホールに対して要求される許容遅延量を満たすことができる。第１の実施形態のネットワークシステム１００は、ネットワークシステム１００の有効性を高めることが可能となる。
【００８３】
第１の実施形態のＯＬＴ１１０ａは、ＲＲＨ２２と他通信システム３１とについて、光信号の波長を共用することができる。第１の実施形態のＯＬＴ１１０ａは、波長が共通である光信号を用いることによって、光ファイバ５１の心線数を削減することができる。第１の実施形態のＯＬＴ１１０ａは、波長が共通である光信号を用いることによって、ネットワークシステム１００における装置の数を削減することができる。
【００８４】
（第２の実施形態）
第２の実施形態では、ＯＬＴ１１０ｂが検出用帯域判定部１２３を備える点が、第１の実施形態と相違する。第２の実施形態では、第１の実施形態との相違点についてのみ説明する。
【００８５】
図５は、第２の実施形態における、ＯＬＴ１１０ｂの構成の例を示す図である。ＯＬＴ１１０ｂは、図１に示すＯＬＴ１１である。なお、ＯＬＴ１１０ｂは、ＯＬＴ１１と接続される外部装置でもよい。
【００８６】
ＯＬＴ１１０ｂは、バッファ部１１１−１と、バッファ部１１１−２と、Ｌ２ＳＷ１１２と、下り信号処理部１１３と、Ｅ／Ｏ変換部１１４と、Ｏ／Ｅ変換部１１５と、上り信号処理部１１６と、Ｌ２ＳＷ１１７と、推定誤り検出部１１９と、帯域割当て計算部１２０と、帯域割当て部１２１と、時分割複信情報推定部１２２と、検出用帯域判定部１２３とを備える。
【００８７】
第２の実施形態では、帯域割当て部１２１は、推定誤りを検出するための帯域（以下、「推定誤り検出用帯域」という。）をＴＤＤ未送信期間に設ける。以下、推定誤り検出用帯域が設けられる期間を、検出用期間という。検出用期間は、正常状態では、上り信号処理部１１６が無線通信システムの上りリンクの信号を取得しない期間である。検出用期間は、異常状態では、上り信号処理部１１６が無線通信システムの上りリンクの信号を取得することがある期間である。上り信号処理部１１６は、推定誤り検出用帯域における上りリンクの信号のデータ量を表す情報を、検出用帯域判定部１２３に送信する。
【００８８】
検出用帯域判定部１２３は、検出用期間において無線通信システムの上りリンクの信号を取得したか否かを、推定誤り検出用帯域における上りリンクの信号のデータ量を表す情報に基づいて判定する。検出用帯域判定部１２３は、判定結果を推定誤り検出部１１９に送信する。
【００８９】
推定誤り検出部１１９は、推定誤りが発生したことを、検出用帯域判定部１２３による判定結果に基づいて検出する。すなわち、推定誤り検出部１１９は、検出用期間において無線通信システムの上りリンクの信号が取得された場合、推定誤りが発生したと判定する。推定誤り検出部１１９は、推定誤りが発生したことを検出した場合、推定誤り情報を帯域割当て計算部１２０に送信する。
【００９０】
帯域割当て計算部１２０は、推定誤り情報を取得した場合、帯域割当て情報を再計算する。すなわち、帯域割当て計算部１２０は、推定誤り情報を取得した場合、帯域割当て情報を再度決定する。帯域割当て計算部１２０は、帯域割当て情報を、帯域割当て部１２１に送信する。
【００９１】
帯域割当て部１２１は、帯域割当て情報を、下り信号処理部１１３を介してＯＮＵ１３に送信する。帯域割当て部１２１は、初期状態では、無線通信システムの上りリンクの信号にＦＢＡによって帯域を割り当てる（初期状態における設定）。帯域割当て部１２１は、初期状態では、他通信システムの信号を送信停止にする（初期状態における設定）。ネットワークシステム１００におけるトラヒック量は、帯域割当て情報に基づいて初期状態に戻る。下り信号処理部１１３は、帯域割当て情報（下り制御信号）を、ＧＡＴＥ信号（送信許可信号）（ＧＡＴＥフレーム）としてＯＮＵ１３に送信する。下り信号処理部１１３は、帯域割当て情報を、ＯＬＴ１１０ｂに接続された全てのＯＮＵ１３に送信してもよい。
【００９２】
時分割複信情報推定部１２２のＴＤＤフレーム情報推定部は、ＴＤＤサブフレームの構成を推定する。時分割複信情報推定部１２２のＴＤＤフレーム情報推定部は、ＴＤＤ未送信期間を推定する。
【００９３】
正常状態では、時分割複信情報推定部１２２の帯域割当方法選択部は、ＴＤＤ送信期間において、無線通信システムの上りリンクの信号にＦＢＡによって帯域を割り当てる。正常状態では、時分割複信情報推定部１２２の帯域割当方法選択部は、ＴＤＤ未送信期間において、他通信システムの信号に帯域を、ＦＢＡ又は動的帯域割当て（DBA）によって割り当てる。時分割複信情報推定部１２２の帯域割当方法選択部は、帯域を割り当てる方法を表す帯域割当方法情報を、帯域割当て部１２１に送信する。帯域割当て部１２１は、帯域割当方法情報に基づいて、無線通信システムの上りリンクの信号を帯域に割り当てる。
【００９４】
図６は、第２の実施形態における、トラヒックの例を示すタイムチャートである。横軸は時間を示す。上から１段目は、ＴＤＤサブフレームの構成の区切りを示す。上から２段目は、ＯＬＴ１１０ａが信号を取得する期間を示す。上から３段目は、ＯＮＵ１３−３又は１３−４が信号を送信する期間と、ＯＮＵ１３−３又は１３−４が信号の送信を停止する期間とを示す。上から４段目は、ＯＮＵ１３−１又は１３−２が信号を送信する期間と、ＯＮＵ１３−１又は１３−２が信号の送信を停止する期間とを示す。
【００９５】
図６に示す例では、一部のＴＤＤサブフレームに対する割り当てが、ダウンリンクサブフレームからアップリンクサブフレームに変更されている。ＴＤＤサブフレームの構成が変更されたタイミングを含む送信停止期間に、検出用期間が割り当てられている。ＯＬＴ１１０ｂは、検出用期間において無線通信システムの上りリンクの信号を取得している。下り信号処理部１１３の下り信号処理部１１３は、帯域割当て情報をＧＡＴＥ信号としてＯＮＵ１３に送信する。ＯＮＵ１３−１又は１３−２は、送信を待機させた信号と今回送信する信号とを、無線通信システムの信号送信期間において送信する。
【００９６】
以上のように、第２の実施形態の帯域割当て部１２１は、検出用期間を定める。推定誤り検出部１１９は、検出用期間に中継部が無線通信システムの上りリンクの信号を取得した場合、送信停止期間の推定が誤っていると判定する。ＯＬＴ１１０ｂは、推定に誤りがあると判定すると、帯域の割り当てを初期状態に戻した後に、改めて推定した送信停止期間に基づいて帯域の割り当てを行う。
【００９７】
これによって、第２の実施形態のネットワークシステム１００（伝送システム）は、時分割複信によって通信する通信システムの通信回線と他通信システムの通信回線とを収容するネットワークシステム１００において、通信システムの信号の構成について推定誤りが発生した場合でも、通信システムの信号に生じる遅延を抑制することができる。
【００９８】
（第３の実施形態）
第３の実施形態では、推定誤り検出部１１９が無線通信システムの下りリンクの信号を常時監視する点が、第２の実施形態と相違する。第３の実施形態では、第２の実施形態との相違点についてのみ説明する。
【００９９】
図７は、第３の実施形態における、ＯＬＴ１１０ｃの構成の例を示す図である。ＯＬＴ１１０ｃは、バッファ部１１１−１と、バッファ部１１１−２と、Ｌ２ＳＷ１１２と、下り信号処理部１１３と、Ｅ／Ｏ変換部１１４と、Ｏ／Ｅ変換部１１５と、上り信号処理部１１６と、Ｌ２ＳＷ１１７と、推定誤り検出部１１９と、帯域割当て計算部１２０と、帯域割当て部１２１と、時分割複信情報推定部１２２とを備える。
【０１００】
第３の実施形態では、下り信号処理部１１３は、無線通信システムの下りリンクの信号のデータ量を常時監視する。下り信号処理部１１３は、無線通信システムの下りリンクの信号のデータ量を表す情報を、推定誤り検出部１１９に送信する。
【０１０１】
推定誤り検出部１１９は、無線通信システムの下りリンクの信号のデータ量を表す情報に基づいて、推定誤りが発生したか否かを常時監視する。推定誤り検出部１１９は、無線通信システムの信号送信期間において無線通信システムの下りリンクの信号が送信されたか否かに基づいて、推定誤りを検出する。推定誤り検出部１１９は、推定誤りが発生したか否かを常時監視する。推定誤り検出部１１９は、無線通信システムの信号送信期間において無線通信システムの下りリンクの信号が送信された場合、推定誤りが発生したと判定する。推定誤り検出部１１９は、推定誤り検出部１１９は、推定誤りが発生したことを検出した場合、推定誤り情報を帯域割当て計算部１２０に送信する。
【０１０２】
図８は、第３の実施形態における、トラヒックの例を示すタイムチャートである。横軸は時間を示す。上から１段目は、ＴＤＤサブフレームの構成の区切りを示す。上から２段目は、ＯＬＴ１１０ａが信号を取得する期間を示す。上から３段目は、ＯＮＵ１３−３又は１３−４が信号を送信する期間と、ＯＮＵ１３−３又は１３−４が信号の送信を停止する期間とを示す。上から４段目は、ＯＮＵ１３−１又は１３−２が信号を送信する期間と、ＯＮＵ１３−１又は１３−２が信号の送信を停止する期間とを示す。
【０１０３】
図８に示す例では、一部のＴＤＤサブフレームに対する割り当てが、アップリンクサブフレームからダウンリンクサブフレームに変更されている。ＯＬＴ１１０ｃは、信号送信期間において、無線通信システムの下りリンクの信号を送信している。下り信号処理部１１３は、帯域割当て情報をＧＡＴＥ信号としてＯＮＵ１３−１に送信する。
【０１０４】
以上のように、第３の実施形態の推定誤り検出部１１９は、無線通信システムの信号送信期間において中継部が下りリンクの信号を中継した場合、送信停止期間のタイミングの推定が誤っていると判定する。ＯＬＴ１１０ｃは、推定に誤りがあると判定すると、帯域の割り当てを初期状態に戻した後に、改めて推定した送信停止期間に基づいて帯域の割り当てを行う。
【０１０５】
これによって、第３の実施形態のネットワークシステム１００（伝送システム）は、時分割複信によって通信する通信システムの通信回線と他通信システムの通信回線とを収容するネットワークシステム１００において、通信システムの信号の構成について推定誤りが発生した場合でも、通信システムの信号に生じる遅延を抑制することができる。
【０１０６】
（第４の実施形態）
第４の実施形態では、動的帯域割当ての周期（以下、「ＤＢＡ周期」という。）を初期化する点が、第１〜第３の実施形態と相違する。ＯＬＴ１１は、第１の実施形態に示すＯＬＴ１１０ａと、第２の実施形態に示すＯＬＴ１１０ｂと、第３の実施形態に示すＯＬＴ１１０ｃとのいずれでもよい。第４の実施形態では、一例として、第２の実施形態との相違点についてのみ説明する。
【０１０７】
ＯＬＴ１１０ｂは、ＯＮＵ１３の信号に、帯域をＤＢＡ周期で割り当てる。ＯＮＵ１３は、ＯＮＵ１３に対する信号帯域割当ての設定をＯＬＴ１１０ｂが初期状態に戻した場合、次のＤＢＡ周期が始まるタイミングに帯域割当ての設定が有効になる。このため、ＤＢＡ周期が始まるタイミングを初期化（リセット）しない場合、ＯＮＵ１３が上りリンクの信号を送信する時刻は遅延する。すなわち、ＤＢＡ周期のタイミングを初期化しない場合、ＤＢＡ周期の遅延に起因する伝送遅延が生じる。ＯＬＴ１１０ｂは、ＤＢＡ周期の遅延に起因する伝送遅延が生じないようにするため、ＤＢＡ周期のタイミングを初期化する。すなわち、ＯＬＴ１１０ｂは、ＤＢＡ周期の遅延に起因する伝送遅延が生じないようにするため、帯域を割り当てるタイミングを更新する。
【０１０８】
図９は、第４の実施形態における、トラヒックの例を示すタイムチャートである。横軸は時間を示す。上から１段目は、ＴＤＤサブフレームの構成の区切りを示す。上から２段目は、ＤＢＡ周期の区切りを示す。上から３段目は、ＯＬＴ１１０ｂが信号を取得する期間を示す。上から４段目は、ＯＮＵ１３−３又は１３−４が信号を送信する期間と、ＯＮＵ１３−３又は１３−４が信号の送信を停止する期間とを示す。上から５段目は、ＯＮＵ１３−１又は１３−２が信号を送信する期間と、ＯＮＵ１３−１又は１３−２が信号の送信を停止する期間とを示す。
【０１０９】
図９に示す例では、一部のＴＤＤサブフレームに対する割り当てが、ダウンリンクサブフレームからアップリンクサブフレームに変更されている。ＴＤＤサブフレームの構成が変更された期間に、検出用期間が割り当てられている。ＯＬＴ１１０ｂは、検出用期間において無線通信システムの上りリンクの信号を取得している。ＯＬＴ１１０ｂの下り信号処理部１１３は、ＤＢＡ周期のタイミングを初期化する。ＯＬＴ１１０ｂの下り信号処理部１１３は、信号送信期間のタイミングを示す情報と帯域割当て情報とを、ＧＡＴＥ信号としてＯＮＵ１３に送信する。ＯＮＵ１３−１又は１３−２は、上りリンクの信号を、無線通信システムの信号送信期間において送信する。
【０１１０】
時分割複信情報推定部１２２のＴＤＤフレーム情報推定部は、下り信号処理部１１３がＤＢＡ周期のタイミングを初期化した後に、ＴＤＤサブフレームの構成を推定してもよい。下り信号処理部１１３は、ＴＤＤサブフレームの構成（ＴＤＤサブフレームパターン）の切り替えのタイミングに合わせて、ＤＢＡ周期のタイミングを初期化してもよい。これによって、下り信号処理部１１３は、ＴＤＤサブフレームの構成の切り替えの時刻と、ＤＢＡ周期のタイミング（開始時刻又は終了時刻）とを一致させることができる。
【０１１１】
図１０は、第４の実施形態における、ＯＬＴの動作の例を示すフローチャートである。帯域割当て部１２１は、帯域割当て情報を、下り信号処理部１１３を介してＯＮＵ１３に送信する。帯域割当て部１２１は、初期状態では、無線通信システムの上りリンクの信号にＦＢＡによって帯域を割り当てる。帯域割当て部１２１は、初期状態では、他通信システムの信号を送信停止にする（ステップＳ２０１）。トラヒック量抽出部１１８は、無線通信システムの上りリンクの信号をモニタリングする（ステップＳ２０２）。
【０１１２】
時分割複信情報推定部１２２は、要求トラヒック量以上の信号を取得したか否かを判定する（ステップＳ２０３）。時分割複信情報推定部１２２が要求トラヒック量以上の信号を取得していない場合（ステップＳ２０３：ＮＯ）、トラヒック量抽出部１１８は、ステップＳ２０２に処理を戻す。時分割複信情報推定部１２２が要求トラヒック量以上の信号を取得した場合（ステップＳ２０３：ＹＥＳ）、時分割複信情報推定部１２２は、ＴＤＤサブフレームの構成を推定する（ステップＳ２０４）。
【０１１３】
下り信号処理部１１３は、ＤＢＡ周期のタイミングと、ＴＤＤサブフレームの構成（ＴＤＤサブフレームパターン）の切り替えのタイミングとを合わせる（ステップＳ２０５）。
【０１１４】
正常状態では、時分割複信情報推定部１２２は、ＴＤＤ送信期間において、無線通信システムの上りリンクの信号にＦＢＡによって帯域を割り当てる。正常状態では、時分割複信情報推定部１２２は、ＴＤＤ未送信期間において、無線通信システムの上りリンクの信号を送信停止にする。
【０１１５】
正常状態では、時分割複信情報推定部１２２は、ＴＤＤ送信期間において、他通信システムの信号を送信停止にする。正常状態では、時分割複信情報推定部１２２は、ＴＤＤ未送信期間において、他通信システムの信号に帯域を、ＦＢＡ又は動的帯域割当て（DBA）によって割り当てる（ステップＳ２０６）。
【０１１６】
推定誤りが発生したか否かを判定する（ステップＳ２０７）。推定誤りが発生した場合（ステップＳ２０７：ＹＥＳ）、下り信号処理部１１３は、ＴＤＤサブフレームの構成（ＴＤＤサブフレームパターン）の切り替えのタイミングに合わせて、ＤＢＡ周期のタイミングを初期化する（ステップＳ２０８）。帯域割当て部１２１は、ステップＳ２０１に処理を戻す。推定誤りが発生していない場合（ステップＳ２０７：ＮＯ）、帯域割当て部１２１は、ステップＳ２０６に処理を戻す。
【０１１７】
以上のように、第４の実施形態の帯域割当て部１２１は、送信停止期間の推定が誤っていることが検出された場合、上りリンクの信号に帯域を割り当てるタイミング（ＤＢＡ周期が始まるタイミング）を更新する。
【０１１８】
これによって、第４の実施形態のネットワークシステム１００（伝送システム）は、時分割複信によって通信する通信システムの通信回線と他通信システムの通信回線とを収容するネットワークシステム１００において、通信システムの信号の構成について推定誤りが発生した場合でも、通信システムの信号に生じる伝搬遅延を光ファイバ５１及び５２による伝搬遅延に抑えることができる。
【０１１９】
（第５の実施形態）
第５の実施形態では、初期状態における帯域割当て情報がメモリに記憶される点が、第１〜第４の実施形態と相違する。第５の実施形態では、一例として、第２の実施形態との相違点についてのみ説明する。
【０１２０】
図１１は、第５の実施形態における、ＯＬＴ１１０ｄの構成の例を示す図である。ＯＬＴ１１０ｄは、図１に示すＯＬＴ１１である。なお、ＯＬＴ１１０ｄは、ＯＬＴ１１と接続される外部装置でもよい。
【０１２１】
ＯＬＴ１１０ｄは、バッファ部１１１−１と、バッファ部１１１−２と、Ｌ２ＳＷ１１２と、下り信号処理部１１３と、Ｅ／Ｏ変換部１１４と、Ｏ／Ｅ変換部１１５と、上り信号処理部１１６と、Ｌ２ＳＷ１１７と、推定誤り検出部１１９と、帯域割当て計算部１２０と、帯域割当て部１２１と、時分割複信情報推定部１２２と、検出用帯域判定部１２３と、メモリ１２４とを備える。メモリ１２４は、磁気ハードディスク装置や半導体記憶装置等の不揮発性メモリ（非一時的な記録媒体）を有する記憶装置を用いて構成される。
【０１２２】
推定誤り検出部１１９は、推定誤り情報をメモリ１２４に記憶させる。帯域割当て計算部１２０は、初期状態における帯域割当て情報を、メモリ１２４に記憶させる。帯域割当て部１２１は、推定誤り情報をメモリ１２４から取得した場合、初期状態における帯域割当て情報をメモリ１２４から取得する。すなわち、帯域割当て部１２１は、推定誤り検出部１１９が推定誤りを検出した場合、初期状態における帯域割当て情報をメモリ１２４から取得する。帯域割当て部１２１は、推定誤り検出部１１９が推定誤りを検出した場合、メモリ１２４から取得した初期状態における帯域割当て情報を、下り信号処理部１１３を介してＯＮＵ１３に送信する。
【０１２３】
以上のように、帯域割当て部１２１は、推定誤り検出部１１９が推定誤りを検出した場合、メモリ１２４から取得した初期状態における帯域割当て情報を、下り信号処理部１１３を介してＯＮＵ１３に送信する。これによって、第５の実施形態のネットワークシステム１００（伝送システム）は、帯域割当てを初期状態に遷移させるために、帯域割当てを再計算する必要がない。第５の実施形態のネットワークシステム１００は、送信順序制御等の処理による伝送遅延を低減することが可能となる。
【０１２４】
（第６の実施形態）
第６の実施形態では、推定誤り検出部１１９が推定誤りを検出した場合でも初期状態に遷移しない機能部をＯＬＴ１１が備える点が、第１〜第５の実施形態と相違する。第６の実施形態では、第１の実施形態との相違点についてのみ説明する。
【０１２５】
帯域割当て部１２１は、推定誤り検出部１１９が推定誤りを検出した場合、誤りを検出したＴＤＤサブフレームにおいて、無線通信システムの上りリンクの信号にＦＢＡによって帯域を割り当てる。帯域割当て部１２１は、推定誤り検出部１１９が推定誤りを検出した場合、誤りを検出したＴＤＤサブフレームにおいて、他通信システムの信号を送信停止にする。
【０１２６】
帯域割当て部１２１は、推定誤り検出部１１９が推定誤りを検出していない場合、ＴＤＤ送信期間において、ＴＤＤサブフレームごとに、無線通信システムの上りリンクの信号にＦＢＡによって帯域を割り当てる。帯域割当て部１２１は、推定誤り検出部１１９が推定誤りを検出していない場合、ＴＤＤ未送信期間において、ＴＤＤサブフレームごとに、他通信システムの信号に帯域を、ＦＢＡ又は動的帯域割当て（DBA）によって割り当てる。
【０１２７】
以上のように、帯域割当て部１２１は、推定誤り検出部１１９が推定誤りを検出した場合、予め定められた他の機能部を初期状態に遷移させない。帯域割当て部１２１は、推定誤り検出部１１９が推定誤りを検出した場合、推定誤りを検出したＴＤＤサブフレームにおいて、無線通信システムの上りリンクの信号にＦＢＡによって帯域を割り当てる。帯域割当て部１２１は、推定誤り検出部１１９が推定誤りを検出した場合、推定誤りを検出したＴＤＤサブフレームにおいて、他通信システムの信号を送信停止にする。
【０１２８】
第６の実施形態のネットワークシステム１００（伝送システム）は、推定誤りが発生した場合でも初期状態に遷移しないので、他通信システムの通信を不通にする頻度を抑えることができる。第６の実施形態のネットワークシステム１００は、他通信システムに与える影響を低減することが可能となる。
【０１２９】
なお、第１〜第６の実施形態は組み合わされてもよい。これによって、ネットワークシステム１００（伝送システム）は、推定誤りを検出する精度を高めることが可能である。また、ネットワークシステム１００において、Ｌ２ＳＷ３３とＯＬＴ１１とは、１つの装置として構成されてもよい。
【０１３０】
また、第１の実施形態において、帯域割当て部１２１が帯域の割り当てを初期化する条件として、推定誤りが検出されたことに代えて、推定誤りが所定回数連続して検出されたことを条件にしてもよい。推定誤りが複数回連続して検出されたことに基づいて推定誤りが発生していると判断することにより、推定誤りの検出の精度を向上させることができる。検出精度の向上により、帯域割当ての初期化が誤って行われる可能性が低くなり、複数の通信システムの中継が安定して行われる。
【０１３１】
上述した実施形態における伝送システム及び伝送装置の少なくとも一部をコンピュータで実現するようにしてもよい。その場合、この機能を実現するためのプログラムをコンピュータ読み取り可能な記録媒体に記録して、この記録媒体に記録されたプログラムをコンピュータシステムに読み込ませ、実行することによって実現してもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであってもよく、さらに前述した機能をコンピュータシステムにすでに記録されているプログラムとの組み合わせで実現できるものであってもよく、ＦＰＧＡ（Field Programmable Gate Array）等のプログラマブルロジックデバイスを用いて実現されるものであってもよい。
【０１３２】
以上、この発明の実施形態について図面を参照して詳述してきたが、具体的な構成はこの実施形態に限られるものではなく、この発明の要旨を逸脱しない範囲の設計等も含まれる。
【産業上の利用可能性】
【０１３３】
本発明は、時分割複信により通信する第１の通信システムの通信回線と、第２の通信システムの通信回線とを収容するシステムにおいて、第１の通信システムにおける送受信の切り替えに対する推定に誤りが生じた場合において発生する遅延を抑制することが不可欠な用途にも適用できる。
【符号の説明】
【０１３４】
１１…ＯＬＴ、１２…光スプリッタ、１３…ＯＮＵ、２１…移動無線端末、２２…ＲＲＨ、２３…ＢＢＵ、２４…モバイルＮＷ、３１…他通信システム、３２…他通信システム、３３…Ｌ２ＳＷ（レイヤ２スイッチ）、３４…他サービスＮＷ、３６…他通信システム上位装置、５１…光ファイバ、５２…光ファイバ、１００…ネットワークシステム、１１０ａ…ＯＬＴ、１１０ｂ…ＯＬＴ、１１０ｃ…ＯＬＴ、１１０ｄ…ＯＬＴ、１１１…バッファ部（中継部）、１１２…Ｌ２ＳＷ（中継部）、１１３…下り信号処理部（中継部）、１１４…Ｅ／Ｏ変換部（中継部）、１１５…Ｏ／Ｅ変換部（中継部）、１１６…上り信号処理部（中継部）、１１７…Ｌ２ＳＷ（中継部）、１１８…トラヒック量抽出部、１１９…推定誤り検出部、１２０…帯域割当て計算部、１２１…帯域割当て部、１２２…時分割複信情報推定部、１２３…検出用帯域判定部、１２４…メモリ
【図１】
2017061407.tif 000003
【図２】
2017061407.tif 000004
【図３】
2017061407.tif 000005
【図４】
2017061407.tif 000006
【図５】
2017061407.tif 000007
【図６】
2017061407.tif 000008
【図７】
2017061407.tif 000009
【図８】
2017061407.tif 000010
【図９】
2017061407.tif 000011
【図１０】
2017061407.tif 000012
【図１１】
2017061407.tif 000013
【図１２】
2017061407.tif 000014
【図１３】
2017061407.tif 000015
【図１４】
2017061407.tif 000016
【図１５】
2017061407.tif 000017
【図１６】
2017061407.tif 000018
【図１７】
2017061407.tif 000019
【図１８】
2017061407.tif 000020
【国際調査報告】
2017061407.tif 000021
2017061407.tif 000022